【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
地上ネットワークにおける通信の方法であって、
ユーザ端末の次のセル再選択のために少なくとも1つの衛星のための少なくとも1つの開始角およびスパンを含む近隣セルリストを決定するステップと、
ブロードキャスト情報ブロック(BIB)メッセージにおいて前記ユーザ端末に前記近隣セルリストを送信するステップであって、前記BIBメッセージが、いくつかのセグメントを備え、各セグメントが、前記近隣セルリストと関連付けられる対応するシーケンス番号と、前記近隣セルリストの一部とを備える、ステップとを備える、方法。
【請求項２】
前記近隣セルリストが、少なくとも1つの他の衛星のための少なくとも1つの他の開始角およびスパンをさらに含む、請求項1に記載の方法。
【請求項３】
前記少なくとも1つの開始角およびスパンが、少なくとも1つの仰角に対するものである、または、少なくとも1つの方位角に対するものである、または、少なくとも1つのヨー角に対するものである、請求項1に記載の方法。
【請求項４】
前記近隣セルリストの前記決定が、
前記少なくとも1つの衛星の少なくとも1つの衛星ピッチ、前記少なくとも1つの衛星の少なくとも1つの衛星位置、前記少なくとも1つの衛星の少なくとも1つのビームオン/オフ時間、またはこれらの任意の組合せのうちの少なくとも1つに基づいて、前記少なくとも1つの開始角およびスパンのうちの1つまたは複数の開始角を計算するステップを備える、または、
前記少なくとも1つの衛星の少なくとも1つのビームオン/オフ時間に基づいて前記少なくとも1つの開始角およびスパンのうちの1つまたは複数のスパンを計算するステップを備える、請求項1に記載の方法。
【請求項５】
通信のための地上ネットワークであって、
ユーザ端末の次のセル再選択のために少なくとも1つの衛星のための少なくとも1つの開始角およびスパンを含む近隣セルリストを決定するための手段と、
ブロードキャスト情報ブロック(BIB)メッセージにおいて前記ユーザ端末に前記近隣セルリストを送信するための手段であって、前記BIBメッセージが、いくつかのセグメントを備え、各セグメントが、前記近隣セルリストと関連付けられる対応するシーケンス番号と、前記近隣セルリストの一部とを備える、手段とを備える、装置。
【請求項６】
コンピュータ実行可能コードを記憶するコンピュータ可読記憶媒体であって、前記コードが、コンピュータによって実行されると、前記コンピュータに請求項1から4のいずれか一項に記載の方法を実行させる、コンピュータ可読記憶媒体。
【請求項７】
通信の方法であって、
ブロードキャスト情報ブロック(BIB)メッセージにおいて少なくとも1つの衛星のための少なくとも1つの開始角およびスパンを含む近隣セルリストを受信するステップであって、前記BIBメッセージが、いくつかのセグメントを備え、各セグメントが、前記近隣セルリストと関連付けられる対応するシーケンス番号と、前記近隣セルリストの一部とを備える、ステップと、
前記近隣セルリストに基づいてターゲットビームを特定するステップとを備える、方法。
【請求項８】
通信のための装置であって、
ブロードキャスト情報ブロック(BIB)メッセージにおいて少なくとも1つの衛星のための少なくとも1つの開始角およびスパンを含む近隣セルリストを受信するための手段であって、前記BIBメッセージが、いくつかのセグメントを備え、各セグメントが、前記近隣セルリストと関連付けられる対応するシーケンス番号と、前記近隣セルリストの一部とを備える、手段と、
前記近隣セルリストに基づいてターゲットビームを特定するための手段とを備える、装置。
【請求項９】
コンピュータ実行可能コードを記憶するコンピュータ可読記憶媒体であって、前記コードが、
ブロードキャスト情報ブロック(BIB)メッセージにおいて少なくとも1つの衛星のための少なくとも1つの開始角およびスパンを含む近隣セルリストを受信することであって、前記BIBメッセージが、いくつかのセグメントを備え、各セグメントが、前記近隣セルリストと関連付けられる対応するシーケンス番号と、前記近隣セルリストの一部とを備える、ことと、
前記近隣セルリストに基づいてターゲットビームを特定することと
をするためのコードを含む、コンピュータ可読記憶媒体。
【請求項１０】
地上ネットワークにおける通信の方法であって、
ユーザ端末の次のセル再選択のために少なくとも1つの衛星のためのビーム指示情報を含む近隣セルリストを決定するステップと、
ブロードキャスト情報ブロック(BIB)メッセージにおいて前記ユーザ端末に前記近隣セルリストを送信するステップであって、前記BIBメッセージが、いくつかのセグメントを備え、各セグメントが、前記近隣セルリストと関連付けられる対応するシーケンス番号と、前記近隣セルリストの一部とを備える、ステップとを備える、方法。
【請求項１１】
通信のための地上ネットワークであって、
ユーザ端末の次のセル再選択のために少なくとも1つの衛星のためのビーム指示情報を含む近隣セルリストを決定するための手段と、
ブロードキャスト情報ブロック(BIB)メッセージにおいて前記ユーザ端末に前記近隣セルリストを送信するための手段であって、前記BIBメッセージが、いくつかのセグメントを備え、各セグメントが、前記近隣セルリストと関連付けられる対応するシーケンス番号と、前記近隣セルリストの一部とを備える、手段とを備える、装置。
【請求項１２】
コンピュータ実行可能コードを記憶するコンピュータ可読記憶媒体であって、前記コードが、
ユーザ端末の次のセル再選択のために少なくとも1つの衛星のためのビーム指示情報を含む近隣セルリストを決定することと、
ブロードキャスト情報ブロック(BIB)メッセージにおいて前記ユーザ端末に前記近隣セルリストを送信することであって、前記BIBメッセージが、いくつかのセグメントを備え、各セグメントが、前記近隣セルリストと関連付けられる対応するシーケンス番号と、前記近隣セルリストの一部とを備える、ことと
をするためのコードを含む、コンピュータ可読記憶媒体。
【請求項１３】
通信の方法であって、
ブロードキャスト情報ブロック(BIB)メッセージにおいて少なくとも1つの衛星のためのビーム指示情報を含む近隣セルリストを受信するステップであって、前記BIBメッセージが、いくつかのセグメントを備え、各セグメントが、前記近隣セルリストと関連付けられる対応するシーケンス番号と、前記近隣セルリストの一部とを備える、ステップと、
前記近隣セルリストに基づいてターゲットビームを特定するステップとを備える、方法。
【請求項１４】
通信のための装置であって、
ブロードキャスト情報ブロック(BIB)メッセージにおいて少なくとも1つの衛星のためのビーム指示情報を含む近隣セルリストを受信するための手段であって、前記BIBメッセージが、いくつかのセグメントを備え、各セグメントが、前記近隣セルリストと関連付けられる対応するシーケンス番号と、前記近隣セルリストの一部とを備える、手段と、
前記近隣セルリストに基づいてターゲットビームを特定するための手段とを備える、装置。
【請求項１５】
コンピュータ実行可能コードを記憶するコンピュータ可読記憶媒体であって、前記コードが、
ブロードキャスト情報ブロック(BIB)メッセージにおいて少なくとも1つの衛星のためのビーム指示情報を含む近隣セルリストを受信することであって、前記BIBメッセージが、いくつかのセグメントを備え、各セグメントが、前記近隣セルリストと関連付けられる対応するシーケンス番号と、前記近隣セルリストの一部とを備える、ことと、
前記近隣セルリストに基づいてターゲットビームを特定することと
をするためのコードを含む、コンピュータ可読記憶媒体。